(57)【特許請求の範囲】
【請求項１】
反転継ぎ目を有するマットレスカバーであって、
周囲縁部と、仕上げ面とを有する上部パネルと、
周囲縁部と、仕上げ面とを有するボーダー部分と、
を含み、
上部パネルの仕上げ面が上部パネルとボーダー部分との少なくとも一方における周囲縁部に沿ってボーダー部分の仕上げ面に面するようにして、上部パネルにボーダー部分が取り付けられ、かくして反転継ぎ目が形成され、
反転継ぎ目が、ボーダー部分と上部パネルとの仕上げ面の反対側で、前記上部パネルに取り付けたボーダー部分及び上部パネルを包囲するウェルティングテープ（２８０）にして、該反転継ぎ目の整列を助成し且つ補強するウェルティングテープを更に含むマットレスカバー。
【請求項２】
反転継ぎ目が平坦縫製される請求項１に記載のマットレスカバー。
【請求項３】
反転継ぎ目が、上部パネル及びボーダー部分の各仕上げ面側からは隠れて見えない請求項１または２に記載のマットレスカバー。
【請求項４】
反転継ぎ目に近接して上部パネル及びボーダー部分に取り付けた装飾性のウェルティング（２１６）を更に含む請求項１〜３の何れかに記載のマットレスカバー。
【請求項５】
マットレスであって、
複数のバネを有するマットレスコアと、
マットレスコア上に配置したマットレスカバーにして、少なくとも、上部カバーパネル及びボーダー部分と、２つの縁部を有する少なくとも１つのフランジとを含むマットレスカバーと、
を含み、
ボーダー部分が、隠れて見えない反転継ぎ目によって上部カバーパネルに取り付けられ、少なくとも１つのフランジの一方の端部が反転継ぎ目に取り付けられ、該フランジの他方の端部がバネに固定され、
前記上部カバーパネルに取り付けたボーダー部分及び上部パネルを包囲するウェルティングテープ（２８０）にして、該反転継ぎ目の整列を助成し且つ補強するウェルティングテープを更に含むマットレス。
【請求項６】
マットレスコアが複数のバネと、該バネを包囲するトレーとを含んでいる請求項５に記載のマットレス。
【請求項７】
トレーがフォーム材から作製される請求項６に記載のマットレス。
【請求項８】
マットレスカバーが、該マットレスカバーに接続する状態下にボーダー部分の自由周囲縁部に取り付けた底部パネルを更に含む請求項５〜７の何れかに記載のマットレス。
【請求項９】
反転継ぎ目に近接してマットレスカバーの外側面に取り付けた装飾性のウェルティング（２１６）を更に含む請求項５〜８の何れかに記載のマットレス。
【請求項１０】
反転継ぎ目を有するマットレスカバーの製造方法であって、
マットレスに面する未仕上げ面と、該未仕上げ面とは反対側の、就寝面を形成する仕上げ面と、を有するパネルをマットレス上に配置すること、
周囲部分と、自由周囲部分と、仕上げ面とを有するボーダー部分を、該ボーダー部分の周囲部分が前記パネルの周囲部分に近接し且つパネルの仕上げ面がボーダー部分の仕上げ面に面するように位置決めすること、
パネルとボーダー部分との少なくとも一方における周囲縁部に沿ってボーダー部分をパネルに固定することにより反転継ぎ目を形成すること、
反転継ぎ目の整列を助成し且つ補強するウェルティングテープ（２８０）を取り付けること、
ボーダー部分を、該ボーダー部分の仕上げ面がマットレスから外側に離れる方向を向くように反転継ぎ目とマットレスの一方の側とを覆って折り曲げ、かくして、反転継ぎ目がパネル及びボーダー部分の各仕上げ面から隠れて見えないようにすること、
を含む方法。
【請求項１１】
ウェルティングテープを、ボーダー部分及びパネルを包囲するように取付けること、及び、該ウェルティングテープを、ボーダー部分と、パネルとに、その周囲縁部に沿って固定することにより反転継ぎ目を形成すること、を更に含む請求項１０に記載の方法。
【請求項１２】
ウェルティングテープを、ボーダー部分及びパネルを包囲するように取付けること、及び、該ウェルティングテープを、ボーダー部分と、パネルとに、その周囲縁部に沿って固定することが、縫製、平坦縫製、のり付け、ヒートセット、ホチキス止め、の少なくとも１つによる止着を含む請求項１１に記載の方法。
【請求項１３】
平坦縫製が、ウェルティングテープと、ボーダー部分と、パネル部分とを貫いて周囲縁部に沿った縫製を含む請求項１２に記載の方法。
【請求項１４】
パネル部分の仕上げ面が、ボーダー部分の仕上げ面と直接接触している請求項１０〜１３の何れかに記載の方法。
【請求項１５】
ボーダー部分の自由周囲縁部に第２パネルを固定し、該第２パネルとボーダー部分との間でマットレスを包囲することを更に含む請求項１０〜１４の何れかに記載の方法。
【発明の詳細な説明】
【技術分野】
【０００１】
本発明はマットレスに関し、詳しくは、キルト状のマットレスカバー及びその製造方法に関する。
【背景技術】
【０００２】
キルト状のマットレスカバーを備えたマットレスは斯界によく知られている。例えば、米国特許第５，８９６，６０５号には、マットレス内部のコイルバネユニットの上部と底部とを、この金属製のコイルバネのための仕切及び緩衝材を提供するパッド材で包囲した構造の従来のマットレスが記載される。このパッド材とコイルバネユニットとの間に更に別の仕切を提供するワイヤー格子が追加される。次いで、コイルバネユニットの上部と底部とに、フォーム材、綿、及びその他の材料製のパッド材層が取り付けられる。マットレスの代表的な外側構造には、上部及び低部の各カバーパネルと、コイルバネユニットの４つの側部あるいは周囲部分を取り巻くボーダー部分とが含まれる。カバーパネルとボーダー部分とは通常は、種々の色及び印刷模様のものを入手することが可能な、かくしてその美しさを顧客に最初にアピールすることのできるキルト状繊維製のものである。
【０００３】
強靱な繊維のストリップで作られたフランジが、マットレスを最終的に組み立てる前に上部及び底部の各カバーパネルの縁部あるいは周囲部分に取り付けられる。上部及び底部の各カバーパネルに取り付けた各フランジがコイルバネユニットの側縁部を覆って伸延され、一般に“ホグリング”と称する金属リングを用いてコイルバネにアンカー止めされる。各フランジは、長い使用期間中に種々の層が外れないよう、パッド材層をコイルバネユニットの上部及び底部に然るべく固定する。フランジは、マットレスに身体を乗せた時にベッドの周囲部分に沿って生じる引張力に対する抵抗をも生じる。
【０００４】
カバーのフランジをコイルバネユニットに取り付けた後、特殊なテーブルに取り付けた特殊なテープ縁部ミシンを使用して、ボーダー部分を上部及び底部の各カバーパネルに取り付ける。このカバーパネルの取付け作業の直前に、マットレスの角部分を丸め付けし且つ充填するための詰め綿材がしばしば挿入される。最終的な組み立てに先立ち、上部及び底部の各ボーダーワイヤ（そうしたワイヤあるいはロッドが使用される場合）に、ベッドの縁に腰掛けられるようにするための、従って、この縁部分に必要とされる追加的な支持を提供する補強部材を固定することができる。
【０００５】
マットレスを最終的に組み立てるに際し、オペレーターが、カバーパネル、フランジ、そしてボーダー部分の各材料の外側縁部を覆って装飾性のテープあるいはウェルティングを折り重ねる。この際オペレーターは、テープ縁部ミシンがマットレス周囲の仕上げ側面に沿って移動しつつテープあるいはウェルティングを縫製してウェルトを形成する間、後退しつつ装飾テープを未加工の縁部上に手で位置決めする必要がある。この加工は、上部のカバーパネルをボーダー部分に取り付けるため及び底部のカバーパネルをボーダー部分に取り付けるためのものである。テープ縁部ミシン及びこのテープ縁部ミシン装置に必要な構成部品は極めて高コストであり、また高級なマットレスを製造するための高度に熟練したオペレーターも必要となる。
【０００６】
上述の如き構成を有する従来のマットレスの構成部品が図１に例示される。各パッド材層がマットレスの２つの各仕上げ面（就寝面）上で順番に反復される状態で、各パッド材層がカバーパネル１２及び１４とコイルバネユニット３８との間に配置される。マットレスは、代表的にはフォーム材製のパッド材４０と、綿パッド材４２と、充填材４４と、ユニット３８のコイルバネ４８に最も近い位置に配置した格子材４６とを含む。フランジ５２及び５８が、図では１つを示すコイルバネ４８に、ホグリング５４により固定される。
【０００７】
ボーダー部分１６が、継ぎ目３４（上方の角部の）位置のウェルティング３５と、継ぎ目３６（下方の角部の）位置のウェルティング３５とにより、仕上げ側面を外側にした状態でカバーパネル１２及び１４に取り付けられる。この取付けは、代表的には、継ぎ目の仕上げ側面（顧客に面する側の）ウェルティングと、ボーダー部分１６と、フランジ５２あるいは５８と、カバーパネル１２あるいは１４とを貫いて縫製することにより行う。
充填材４４が、パッド材４０、４２が格子材４６及びあるいはコイルバネ４８の内部に挟まる、あるいは格子材４６及びあるいはコイルバネ４８に押し込まれないようにする追加的な緩衝層となる。
【０００８】
継ぎ目３４（即ち、マットレスの上方角部）のウェルティング３５はしばしばユーザーに多少の不快感を生じさせる原因になっていると言われており、この部分にゴミや埃が引っ掛かることも知られている。更に重要なのは、特殊なテープ縁部ミシンを特殊なテーブルに取り付けて用いる必要があり、そのための特別に熟練したオペレーターも必要となることから製造コストが増大することである。
【０００９】
【特許文献１】米国特許第５，８９６，６０５号明細書
【発明の開示】
【発明が解決しようとする課題】
【００１０】
従って、解決しようとする課題は、外側にウェルトを持たないマットレスカバーを備えたマットレスを提供することである。
解決しようとする他の課題は、熟練オペレーターや、テープ縁部ミシン及びあるいは特殊なテーブルのような、組み立て用の特別の設備を必要としない、そうしたマットレスの製造方法を提供することである。
【課題を解決するための手段】
【００１１】
以下に、上部カバーパネル/ボーダー部分の継ぎ目が反転され、ボーダー部分に装飾性のウェルティングとしてのロープを追加した本発明のマットレスが説明される。本発明のマットレスでは、ウェルティング付きの従来の上部カバーパネルの継ぎ目部分の隆起部分やしわ（bumps and creases）が排除される様式下に、マットレスカバーのボーダー部分あるいは側方部分に上部カバーパネル（即ち、上部就寝面）を縫合する、反転された継ぎ目（以下、単に反転継ぎ目とも称する）が使用される。本発明のマットレスは従来の縫製ミシンあるいは手縫いでさえも平坦縫製が可能であることから、高価なテーブル取付け式のテープ縁部ミシンや特別に熟練したオペレーターの必要性が排除され、製造コストが低減され得る。
【００１２】
本発明の１様相によれば、反転継ぎ目を備えたマットレスカバーが提供され、周囲縁部及び仕上げ側面を有する上部カバーパネルと、周囲縁部及び仕上げ側面を有するボーダー部分と、を有している。ボーダー部分が、このボーダー部分の仕上げ側面をカバーパネルの仕上げ側面に対面させる状態で、カバーパネル及びボーダー部分の少なくとも一方の周囲縁部に沿ってカバーパネルに取り付けられ、かくして反転継ぎ目が形成される。
【００１３】
本発明の他の様相に従えば、反転継ぎ目を有するマットレスカバーの形成方法が提供され、本方法には、マットレスに面する未仕上げ面と、この未仕上げ面の反対側の、就寝面を形成する仕上げ面と、周囲部分と、を有するカバーパネルをマットレス上に配置すること、周囲部分と、自由周囲部分と、仕上げ面とを有するボーダー部分を、このボーダー部分の周囲部分がカバーパネルの周囲部分に近接し且つカバーパネルの仕上げ面がボーダー部分の仕上げ面と向き合うように位置決めすること、が含まれる。ボーダー部分は、カバーパネル及びボーダー部分の少なくとも一方における周囲縁部に沿ってカバーパネルに固定され、かくして反転継ぎ目が形成される。
本発明の更に他の様相に従えば、マットレスコアと、このマットレスコア上に配置したマットレスカバーとを含み、少なくとも上部カバーパネルと、ボーダー部分とを有するマットレスが提供される。ボーダー部分は、反転した、つまり隠れて見えない継ぎ目によって上部カバーパネルに取り付けられる。
【００１４】
本発明の実施例には以下の特徴部分の１つ以上が含まれ得る。反転継ぎ目は特殊な設備を必要とせず、標準的な縫製ミシン上で平坦縫製することが可能である。反転継ぎ目には、前記取り付けたボーダー部分及び上部カバーパネルの、これらボーダー部分及び上部カバーパネルの仕上げ面とは反対側を取り巻くテープを含み得る。従って、このテープはマットレスの外側、即ち、上部カバーパネルとボーダー部分とにおける仕上げ面の側から見た場合は隠れて見えない。マットレスの上部カバーパネルは、反転継ぎ目に近接して上部カバーパネルとボーダー部分との仕上げ面に取り付けた、装飾性のロープのようなウェルティングをも含み得る。
反転継ぎ目は、縫製、平坦縫製、のり付け、ヒートセット、ホチキス止め、により形成することができる。反転継ぎ目を強化するために、上部カバーパネルとボーダー部分とを、上部カバーパネルの未仕上げ面側がマットレスコアの上面に配置した上部カバーパネル側に折りなるように折り重ねることができる。更には、折り重ねたボーダー部分と上部カバーパネルとを包囲してテープを取付け、このテープと、ボーダー部分と、上部カバーパネルとを各周囲縁部に沿って縫製することにより反転継ぎ目を形成することができる。
【００１５】
反転継ぎ目を形成した後、この反転継ぎ目と、マットレスの側部とを覆ってボーダー部分を折り返し、ボーダー部分の仕上げ面が外側、つまり、マットレスから離れる側を向くようにし、上部カバーパネルと反転継ぎ目の仕上げ面側から反転継ぎ目が隠れるようにすることができる。第２カバーパネルをボーダー部分の自由周囲縁部に固定し、上部カバーパネルと、第２カバーパネルと、ボーダー部分との間でマットレスを包囲することができる。
マットレスコアは開放バネユニットであり得、あるいは、バネを包囲するゴムあるいはプラスチックフォーム材製のトレーのようなトレーを含み得る。トレーは、ボーダー部分とバネとの間のパッド材を無用化する。
【発明を実施するための最良の形態】
【００１６】
図２には、コイルバネユニット４８（図では例示上１つのコイルバネ４８のみが示される）と、本発明の１実施例に従う構成の反転継ぎ目を有するマットレスカバーとを備えたマットレスが例示される。マットレスは従来からのパッド材層４０、４２、４４を含み得、これらパッド材層には、キルト状であり得且つ就寝面を形成し得る上部カバーパネル２１０が配置される。マットレスカバーには、マットレスの横方向側面に沿ったボーダー部分２２０も含まれる。ボーダー部分２２０と上部カバーパネル２１０とは、縫い目をマットレスの内側に面する側で継ぎ目位置に配置した反転継ぎ目２４０により、マットレスの周囲部分に沿って相互に連結される。反転継ぎ目２４０は、マットレスの上面側、つまり、ユーザーが就寝面として好ましいと考える側に近接する周囲部分に沿って配置することが好ましい。マットレスの底部カバーパネル２３０に近接する周囲部分に沿って第２反転継ぎ目２６０を設け得る。第２反転継ぎ目は片面マットレスの場合は高品位に仕上げする必要が無く、従って、従来様式下に底部カバーパネル２３０に取り付けることができる。
上部側の反転継ぎ目２４０は上部フランジ２５２のみを取り付けた状態で示されるが、第２反転継ぎ目、つまり底部反転継ぎ目２６０の位置にも必要に応じてフランジを取り付けることができる。パッド材層４０、４２、４４は分離した層である必要はなく、マットレス製造業において一般に用いられる、ゴムあるいはプラスチックフォーム材のような材料を使用した単一の層として提供され得る。
【００１７】
図３には、図２の反転継ぎ目２４０の組み立て状態、即ち、反転継ぎ目２４０を完成させた後、ボーダー部分２２０をマットレスの側部を覆って折り返した状態での拡大詳細図が示される。反転継ぎ目２４０は上部カバーパネル２１０とボーダー部分２２０とを、代表的には縫い目２５０を介して以下に説明するように連結する。上部カバーパネル２１０は、バネ構造に関する上部カバーパネル２１０の動作を制限するための、例えば斯界に知られたホグリング２５４あるいはその他の締め具を使用してバネユニット２４８にアンカー留めすることができる。その他の反転継ぎ目の実施例を図４Ａ〜図４Ｄを参照して以下に説明する。反転継ぎ目２４０を補強するために、２つの繊維層、つまり上部カバーパネル２１０とボーダー部分２２０との周囲にウェルティングテープ２８０を巻き付けることができる。
【００１８】
反転継ぎ目２４０を備えたマットレスカバーと、そうしたマットレスカバーを有するマットレスのための組み立て方法の一例を以下に説明する。図４Ａ〜図４Ｄにはマットレスカバーの反転継ぎ目２４０の様々の実施例が概略例示されている。本組み立て方法は例示した全ての実施例に適用されるものとする。マットレスは、内側コイルバネユニットを既に取付け、随意的な上部フランジ２５２をバネユニット２４８に取り付けた、少なくとも部分的に前組み立てた状態で縫製ステーション（図示せず）位置で受けられる。上部カバーパネル２１０の仕上げ面２１２（就寝面）は外側を向いている。次いで、ボーダー部分２２０がマットレスの仕上げ面２１２上で、ボーダー部分２２０の仕上げ面２２２が上部カバーパネル２１０の仕上げ面２１２を向くようにして配置される。ボーダー部分２２０は、内側コイルバネユニットの角部分に近い部分をクランプする、あるいは、その他の位置決め用及びあるいは保持用手段を用いることにより、ボーダー部分２２０の上縁部が上部カバーパネル２１０の周囲部分と大体整合するように一時的に然るべく保持することができる。継ぎ目は、縫製中に最終的な位置決め調整をするオペレーターにより平坦縫製され得る。図４Ａに示す継ぎ目は、縫い目２５０をパネル２１０とボーダー部分２２０とに一回通し、随意的に、ウェルティングテープ２８０に二回通した単一継ぎ目として示される。先に図３を参照して言及したように、上部フランジ２５２は別個のストラップであり得、あるいは、上部カバーパネル２１０あるいはボーダー部分２２０の何れかと一体に形成することができる。
【００１９】
図４Ｂ〜図４Ｄに示すように、上部カバーパネルとボーダー部分とを少なくとも１回折り曲げ、この折り曲げ部分で上部カバーパネル２１０の未仕上げ面２１４が相互に向き合うようにすることで反転継ぎ目を強化することができる。図４Ｂには上部フランジ２５２を上部カバーパネル２１０と一体形成した配列構成が示され、図４Ｃには上部フランジ２５２をボーダー部分２２０と一体形成した配列構成が示され、図４Ｄには、上部フランジ２５２を上部カバーパネル２１０及びボーダー部分２２０とは別のストラップとして形成した状態が示される。先に説明したように、ウェルティングテープ２８０は随意的なものであり、反転継ぎ目２４０の整列を助成し且つ補強するために設けることができる。
【００２０】
次いで、反転継ぎ目２４０を従来手段で縫い付けあるいは縫製（一点鎖線２５０で表す）する。この縫製段階には、これに限定するものではないが、平坦縫製（即ち、上部カバーパネル２１０とボーダー部分２２０とを従来の縫製ミシンテーブル上に平置きし、標準的な平坦縫製用ミシンに供給する）、レーシング、あるいは手縫いが含まれ得る。上部カバーパネル２１０をボーダー部分２２０に恒久的に取り付けるための、ホチキス止め、熱融着、あるいはのり付け等の方法を反転継ぎ目と共に用いることによっても本発明の有益な効果を実現することが可能である。反転継ぎ目を縫合するために従来のテープ縁部ミシンを使用することもできる。
【００２１】
マットレスは、ボーダー部分２２０をマットレスの側部を覆って図４Ａ〜図４Ｄに矢印３００で例示するように折り返すことにより仕上げられる。先に説明したように、底部継ぎ目２６０（図２）は、図１の従来構成に於いて示した継ぎ目３６のような従来の継ぎ目閉鎖プロセスにより閉鎖することができる。反転継ぎ目２４０の、未仕上げ面側に位置付けられる縫い目やテープは、マットレス組み立て後には隠れて見えなくなる。反転継ぎ目は、上部カバーパネルの縫製が“完全”である必要がない、つまり、上部カバーパネルの内側に全体的に隠されることから、縫製部分に、縫い直し、ずれ、途切れ、テープの継ぎ足し、あるいはしわ寄りなどがあっても良いという利点がある。
【００２２】
先に言及したように、ウェルティングとしてのテープ２８０はコスト及び複雑性を低減させるために省略することができる。更に他の実施例では、従来マットレスに見られたような装飾性のウェルティングとしてのテープ（図２では番号２１６で示される）をボーダー部分２２０の外側、つまり仕上げ面２２２に取り付けるあるいは形成することができる。この技法は、一般にセルフウェルティングと称されるが、実際に反転継ぎ目２４０の一部分である必要はなく、この反転継ぎ目を形成する前あるいは後の何れかに、反転継ぎ目によって提供される組み立ての容易性を犠牲にすることなく、装飾的な縁部処理部分として追加され得るものである。
【００２３】
先に言及したように、例示した反転継ぎ目は、マットレスの就寝面を形成する上部カバーパネル側に位置付けられるが、反対側の、就寝には用いない底部カバーパネル２３０にも、品質はやや劣り得るものの、従来の継ぎ目を使用する反転継ぎ目を取り付けることが可能である。そうしたマットレスは代表的には片面マットレスと称される。片面マットレスは基台の上あるいは中に配置され得、バネがマットレスの角部に伸延され得る。この場合、マットレスの各角部には繊維の損耗を低減させるために柔軟な材料を充填する必要があり得る。あるいは、内側コイルバネユニットは、フォームラバー、綿その他の、マットレス構造において一般に用いられる材料で作製した如きパッド材により少なくとも部分的に包囲され得る。この場合、マットレス角部の充填材は省略することができる。また別の実施例では底部セクション、側方セクション（図示せず）を有するトレー内に内側コイルバネユニットを配置し、先に説明した、本発明の方法に従い提供された反転継ぎ目を有するマットレスカバーをこのトレーを覆って配置することができる。
【００２４】
片面マットレスの底部パネルは、図１に示す従来の両面マットレスに於けるようにパッド材及び繊維から製造される必要はなく、例えば、マットレス構造の剛性を追加する、木製あるいはプラスチック製のボード、ラティス構造その他の如き材料で製造することが可能である。ボーダー部分の自由周囲部分を、随意的には支持レール、接着材その他の斯界に既知の手段と共に、従来の縫製、ホグリングにより底部カバーパネルに取り付け得る。あるいは、若しくは追加的には、反転継ぎ目をボーダー部分の両周囲縁部に取り付けたい場合は、マットレスカバーにジッパーのような閉成自在の開口部を設け、マットレスカバー全体を組み立て及び、例えば、マットレスから離した状態で縫製した後、マットレスに滑り被着させることができる。
【００２５】
図５にはボックススプリング５２に載置したマットレス５４を有するベッドの一例が示される。マットレス５４のマットレスカバーは、例示的なキルト状の就寝面２１２を備える上部カバーパネルを側方パネルに連結する反転継ぎ目２４０を含んでいる。部分破除して示す図５には、フォーム材製の側方パネル５６４と、フォーム材製の底部パネル５６２とを備えたフォーム材製のトレーにバネ５４８が挿通された状態も示されている。この配列構成によれば、ボーダー部分２２０とバネ５４８との間には、先に議論したようなパッド材を追加する必要がない。
以上、本発明を実施例を参照して説明したが、本発明の内で種々の変更をなし得ることを理解されたい。本発明の方法の各段階の順序は、本来純粋に例示的なものである。実際上、各段階を、本発明の開示において示されない限り、任意の順序であるいは平行して実施し得るものであり得る。
【図面の簡単な説明】
【００２６】
【図１】ボーダー部分とパネル部分との外側に継ぎ目部分を取り付けた従来のマットレスを例示する概略断面図である。
【図２】本発明の１実施例に従う、反転継ぎ目を有するマットレスカバーのが医略断面図である。
【図３】図２の反転継ぎ目の拡大詳細図である。
【図４Ａ】図２の反転継ぎ目の別の実施例の拡大詳細図である。
【図４Ｂ】図２の反転継ぎ目の別の実施例の拡大詳細図である。
【図４Ｃ】図２の反転継ぎ目の別の実施例の拡大詳細図である。
【図４Ｄ】図２の反転継ぎ目の別の実施例の拡大詳細図である。
【図５】図２のマットレスカバーを有するマットレスアセンブリの一例の、部分破除した斜視図である。
【符号の説明】
【００２７】
４０、４２、４４  パッド材層
５２  ボックススプリング
５４  マットレス
２１０  上部カバーパネル
２１２  就寝面
２２０  ボーダー部分
２３０  底部カバーパネル
２４０  反転継ぎ目
２４１  未仕上げ面
２４８  バネユニット
２５０  縫い目
２５２  上部フランジ
２５４  ホグリング
２６０  底部継ぎ目
５４８  バネ
５６２  底部パネル
５６４  側方パネル
【図１】
0004444114.tif 000002
【図２】
0004444114.tif 000003
【図３】
0004444114.tif 000004
【図４Ａ】
0004444114.tif 000005
【図４Ｂ】
0004444114.tif 000006
【図４Ｃ】
0004444114.tif 000007
【図４Ｄ】
0004444114.tif 000008
【図５】
0004444114.tif 000009